(57)【要約】【課題】物品を確実に緩衝固定できる屈曲筒状の段ボール製緩衝材を提供する。【解決手段】胴筒１の両端部に脚筒２を連設して、その連設部を屈曲させ、胴筒１及び脚筒２を、外面板３，８に繋がる一対の側面板４，９及び内面板５，１１を巻き込んで形成し、脚筒２の側面板９から延びる延長片１０を胴筒１の側面板４の裏側に重ね、延長片１０の揺動を胴筒１の内面板５で抑制することにより、胴筒１と脚筒２の角度を維持する段ボール製緩衝材において、前記胴筒１では、内面板５が繋がる一方の側面板４に対向した他方の側面板４から重合板７を延出して、この重合板７を内面板５の表側に重ね、重合板７の先端に設けた係止片７ａを、一方の側面板４及び延長片１０に形成した係止穴４ａ，１０ａに押し込んで係合させる。【選択図】図４
2006160291.tif 000002
【特許請求の範囲】
【請求項１】
胴筒の端部に脚筒を連設して、その連設部を屈曲させ、胴筒及び脚筒を、外面板に繋がる一対の側面板及び内面板を巻き込んで形成し、脚筒の側面板から延びる延長片を胴筒の側面板の裏側に重ね、延長片の揺動を胴筒の内面板で抑制することにより、胴筒と脚筒の角度を維持する段ボール製緩衝材において、前記胴筒では、内面板が繋がる一方の側面板に対向した他方の側面板から重合板を延出して、この重合板を内面板の表側に重ね、係止片を係止穴に押し込んで、延長片を胴筒に係止すると共に、胴筒の巻込状態を維持するようにしたことを特徴とする段ボール製緩衝材。
【発明の詳細な説明】
【技術分野】
【０００１】
この発明は、物品の輸送用梱包に際し、物品を緩衝固定する屈曲筒状の段ボール製緩衝材に関するものである。
【背景技術】
【０００２】
従来、物品の梱包に使用する段ボール製の緩衝材として、図９に示すように、胴筒５１の両端部に脚筒５２を連設し、その連設部を屈曲させたコ字状のものが使用されている。
【０００３】
この緩衝材の胴筒５１及び脚筒５２は、外面板５３，５６に繋がる一対の側面板５４，５７及び内面板５５，５８を巻き込んで、内面板５５，５８の先端の折曲片５９，６０を一方の側面板５４，５７の裏側に貼り付けることにより形成される。
【０００４】
また、この緩衝材では、各脚筒５２の側面板５７から延びる延長片６１を、胴筒５１の側面板５４の裏側に重ね、延長片６１の揺動を胴筒５１の内面板５５で抑制することにより、胴筒５１と脚筒５２の角度が直角に維持される。
【０００５】
そして、物品の梱包に際しては、胴筒５１と脚筒５２のなす角の内側に物品を前後又は上下からを嵌め込むようにして固定する。
【０００６】
なお、下記特許文献１には、上記のような構造を自動車バンパーの包装箱に適用した例が記載されている。
【０００７】
【特許文献１】特開２００４−９１０２６号公報
【発明の開示】
【発明が解決しようとする課題】
【０００８】
しかしながら、上記のような構造は、重量のある住宅設備等の物品を梱包する緩衝材に適用すると、物品を受け止める胴筒の強度が不足し、緩衝材が変形して、物品を十分に緩衝固定できなくなる恐れがあった。
【０００９】
そこで、この発明は、物品を確実に緩衝固定できる屈曲筒状の段ボール製緩衝材を提供することを課題とする。
【課題を解決するための手段】
【００１０】
上記課題を解決するため、この発明は、胴筒の端部に脚筒を連設して、その連設部を屈曲させ、胴筒及び脚筒を、外面板に繋がる一対の側面板及び内面板を巻き込んで形成し、脚筒の側面板から延びる延長片を胴筒の側面板の裏側に重ね、延長片の揺動を胴筒の内面板で抑制することにより、胴筒と脚筒の角度を維持する段ボール製緩衝材において、前記胴筒では、内面板が繋がる一方の側面板に対向した他方の側面板から重合板を延出して、この重合板を内面板の表側に重ね、係止片を係止穴に押し込んで、延長片を胴筒に係止すると共に、胴筒の巻込状態を維持するようにしたのである。
【発明の効果】
【００１１】
このように、胴筒の内面板に重合板を重ね、延長片を胴筒に係止して、胴筒の巻込状態を維持する緩衝材では、胴筒が補強されるだけでなく、胴筒の側面板に対する延長片の移動も阻止されるので、胴筒と脚筒の角度がより確実に維持され、重量物の梱包に使用しても変形しにくくなり、優れた緩衝固定性を得ることができる。
【発明を実施するための最良の形態】
【００１２】
まず、この発明の第１実施形態を図１乃至図４に基づいて説明する。
【００１３】
図１に示すように、この段ボール製緩衝材のブランクは、胴筒１をなす部分の両側に、脚筒２をなす部分を連設した構成とされている。これらの部分は、隣接する外面板３，８を繋ぎ、各外面板３，８に一対の側面板４，９を連設し、その一方に内面板５，１１を連設すると共に、他方に重合板７，１２を連設したものとされている。内面板５及び重合板７の両端は、外面板３の両端より内側に位置し、側面板４の両端は弧状とされている。
【００１４】
胴筒１の部分では、内面板５に折曲板６が連設され、その先端には係合片６ａが、外面板３の他方には係合穴３ａがそれぞれ形成されている。重合板７の先端には、２箇所に先広がりの係止片７ａが設けられ、一方の側面板４には、係止片７ａの先端部よりも幅が狭い係止穴４ａが２箇所に形成されている。
【００１５】
脚筒２の部分では、側面板９の内側から直角に屈曲して延びる延長片１０が設けられ、一方の延長片１０には、係止穴４ａと同じ幅の係止穴１０ａが、他方の延長片１０の先端には係合突起１０ｂがそれぞれ設けられている。また、重合板１２の先端には、先広がりの係止片１２ａが設けられ、一方の側面板９には、係止片１２ａの先端部よりも幅が狭い係止穴９ａが形成されている。
【００１６】
このブランクを組み立てるには、図２に示すように、まず、外面板３から両側の外面板８を起立させ、脚筒２の部分を、外面板８、一対の側面板９及び内面板１１を巻き込み、重合板１２を内面板１１の表側に重ね、係止片１２ａを係止穴９ａに押し込んで係合させることにより角筒状に形成し、延長片１０の係合突起１０ｂを係合穴３ａに係合させて、延長片１０を安定させる。
【００１７】
次に、図３に示すように、胴筒１の部分において、外面板３から一対の側面板４及び内面板５を巻き込み、側面板４の裏側に延長片１０を重ねると共に、折曲板６を他方の側面板４の裏側に重ねて、係合片６ａを係合穴３ａに係合させ、重合板７を内面板５の表側に重ね、図４に示すように、係止片７ａを係止穴４ａ，１０ａに押し込んで係合させる。
【００１８】
このように、上記緩衝材は、貼付加工の必要もなく、簡単に組み立てられ、この組立状態において、胴筒１が重合板７により補強されると共に、胴筒１の側面板４に対する延長片１０の移動も阻止されるので、胴筒１と脚筒２の角度がより確実に維持され、重量物の梱包に使用しても変形しにくくなり、優れた緩衝固定性を得ることができる。
【００１９】
次に、この発明の第２実施形態を図５乃至図８に基づいて説明する。なお、ここでは、上記第１実施形態との相違点にのみ言及する。
【００２０】
図５に示すように、この段ボール製緩衝材のブランクでは、両側の脚筒２をなす部分において、一対の側面板９に内面板１１及び中折板１３が順次連設され、外面板８に端蓋板１４及び差込板１５が順次連設されている。中折板１３の先端には係合片１３ａが、外端基部には切込１３ｂがそれぞれ形成され、外面板８の幅方向中央部には係合穴８ａが、差込板１５の先端中央部には切込１５ａがそれぞれ形成されている。
【００２１】
このようなブランクを組み立てるには、図６乃至図８に示すように、脚筒２の中央部で中折板１３同士を重ね合わせ、係合片１３ａを係合穴８ａに係合させた後、端蓋板１４を閉じ、切込１３ｂ，１５ａを噛み合わせつつ、差込板１５を脚筒２の内部に差し込む。これにより、脚筒２が堅固なものとなり、緩衝固定性がさらに向上する。
【００２２】
ところで、上記各実施形態では、胴筒１の両側に脚筒２を有するコ字状のものを示したが、胴筒１の片側にのみ脚筒２を有するＬ字状の緩衝材にも、同様の構成を適用し、緩衝固定性を向上させることができる。
【００２３】
また、重合板７の先端側を一方の側面板４に被さるように延長し、その延長部分に係止片７ａを設けてもよく、延長片１０に設けた係止片を、胴筒１の係止穴を介し外側へ押し出すようにして、延長片１０を胴筒１に係止すると共に、胴筒１の巻込状態を維持するようにしてもよい。
【図面の簡単な説明】
【００２４】
【図１】この発明の第１実施形態に係る段ボール製緩衝材のブランクを示す図
【図２】同上の組立過程を示す斜視図
【図３】同上の組立過程を示す斜視図
【図４】同上の組立状態を示す斜視図
【図５】この発明の第２実施形態に係る段ボール製緩衝材のブランクを示す図
【図６】同上の組立過程を示す斜視図
【図７】同上の組立過程を示す斜視図
【図８】同上の組立状態を示す斜視図
【図９】従来の段ボール製緩衝材の例を示す斜視図
【符号の説明】
【００２５】
１  胴筒
２  脚筒
３，８  外面板
４，９  側面板
４ａ，９ａ  係止穴
５，１１  内面板
６  折曲板
７，１２  重合板
７ａ，１２ａ  係止片
１０  延長片
１０ａ  係止穴
１１  内面板
１３  中折板
１４  端蓋板
１５  差込板
【図１】
2006160291.tif 000003
【図２】
2006160291.tif 000004
【図３】
2006160291.tif 000005
【図４】
2006160291.tif 000006
【図５】
2006160291.tif 000007
【図６】
2006160291.tif 000008
【図７】
2006160291.tif 000009
【図８】
2006160291.tif 000010
【図９】
2006160291.tif 000011